(57)【特許請求の範囲】
【請求項１】
ケーブルの接続部の周囲を覆い、該ケーブルを導出しうる円筒状のスリーブを軸方向に二分割する突き合わせ接合面を形成する同一形状の各分割スリーブからなり、該各分割スリーブの互いに対向した該接合面を締結するのに、一方の分割スリーブと他方の分割スリーブとに着脱自在に掛止させるループ状リングからなるヒンジ部と締結部とで連結一体化するケーブル接続用クロージャであって、前記各分割スリーブの両開口端縁に外側に面を向けた傾斜面が形成され、前記一方の分割スリーブの一方開口端縁近傍に、前記ループ状リングによるヒンジ部を揺動自在に設けるリング受凹部が間隔をあけて複数設けられていると共に、他方開口端縁近傍には締結部受凹部が間隔をあけて複数設けられ、また前記他方の分割スリーブの一方開口端縁近傍には前記ヒンジ部のループ状リングを嵌合する係止凹部が間隔をあけて複数設けられていると共に、他方開口端縁近傍には前記締結部受凹部に嵌合する係止突部を設けた操作レバーを備えるループ状リングからなる締結部を揺動自在に枢支するリング受凹部が間隔をあけて複数設けられ、かつ、前記ヒンジ部と締結部とで前記分割スリーブ同士を締結した際にスリーブ分割接合縁外側に形成される前記傾斜面による凹条部に嵌入して、前記分割スリーブの接合面をシールするガスケット外側に沿う押え部材を前記締結部のループ状リングに備えたことを特徴とするケーブル接続用クロージャ。
【請求項２】
前記ヒンジ部のループ状リングが前記リング受凹部のリング挿入部を支点として該ループ状リングを所定回動角度に保持するストッパを、前記分割スリーブの分割接合縁外側に該リング挿入部の上部外側部に突設されている請求項１記載のケーブル接続用クロージャ。
【請求項３】
前記分割スリーブの分割接合面に形成されたガスケット嵌合凹溝が、該凹溝の両端部位で該凹溝に設けたガスケットを圧縮するガスケット挾圧部とした請求項１または２記載のケーブル接続用クロージャ。
【請求項４】
前記分割スリーブのガスケット嵌合凹溝に沿って障壁を両スリーブの対称位置に突設して該障壁を接合する他方のスリーブ内壁面に当接して結合される請求項１，２または３記載のケーブル接続用クロージャ。
【発明の詳細な説明】
【０００１】
【発明の属する技術分野】
本発明は、光ケーブルなどの通信ケーブルの接続部を保護するためのクロージャ、特に光ケーブル用クロージャの改良に関するものである。
【０００２】
【従来の技術】
一般に、ケーブル接続用クロージャは、ケーブル接続部の両側のケーブルを貫通して取付けられた端面板と、前記接続部をかぶせて収容する縦割りの円筒状のスリーブとからなり、両端面板間にスリーブを装架して、該スリーブの互いに対向した分割突き合わせ部分を取付けネジなどの固定手段で連結して一体化し、ケーブル接続部を気密に保護する構造のものが多用されている。
【０００３】
【発明が解決しようとする課題】
従来のケーブルの接続部を保護する収容体のスリーブは、スリーブの変形防止の剛性を保ち、湿気の浸入を阻止しなければならないために、スリーブの各構成部分は互いに密に結合され、かつケーブル端との間の結合も密でなければならず、気密材を設けたケーブル収容体は、製作煩雑で高価となり経費を要するし、耐久性の面でも問題があり、スリーブの気密確保のために締め付け力の管理や組立作業性が煩雑となって問題があった。
本発明は、これら従来の欠点を排除しようとするもので、ケーブル接続部の収容体の変形防止を図り、安全性と気密性をも高めると共に、スリーブの組立作業性を大幅に向上できるケーブル接続用クロージャを構成簡単で安価な形態で提供することを目的とするものである。
【０００４】
【課題を解決するための手段】
本発明は、ケーブルの接続部の周囲を覆い、該ケーブルを導出しうる円筒状のスリーブを軸方向に二分割する突き合わせ接合面を形成する同一形状の各分割スリーブからなり、該各分割スリーブの互いに対向した該接合面を締結するのに、一方の分割スリーブと他方の分割スリーブとに着脱自在に掛止させるループ状リングからなるヒンジ部と締結部とで連結一体化するケーブル接続用クロージャであって、前記各分割スリーブの両開口端縁に外側に面を向けた傾斜面が形成され、前記一方の分割スリーブの一方開口端縁近傍に、前記ループ状リングによるヒンジ部を揺動自在に設けるリング受凹部が間隔をあけて複数設けられていると共に、他方開口端縁近傍には締結部受凹部が間隔をあけて複数設けられ、また前記他方の分割スリーブの一方開口端縁近傍には前記ヒンジ部のループ状リングを嵌合する係止凹部が間隔をあけて複数設けられていると共に、他方開口端縁近傍には前記締結部受凹部に嵌合する係止突部を設けた操作レバーを備えるループ状リングからなる締結部を揺動自在に枢支するリング受凹部が間隔をあけて複数設けられ、かつ、前記ヒンジ部と締結部とで前記分割スリーブ同士を締結した際にスリーブ分割接合縁外側に形成される前記傾斜面による凹条部に嵌入して、前記分割スリーブの接合面をシールするガスケット外側に沿う押え部材を前記締結部のループ状リングに備えたものである。
【０００５】
【発明の実施の形態】
本発明のクロージャでは、上スリーブを下スリーブにヒンジ部と締結部とを連結しておき、ケーブルを端面板から挿通してスリーブ内の接続機構に接続して、上スリーブをヒンジ機構を中心として回動して下スリーブに端面板を押しつけつつ下スリーブの上にかぶせ、上下両スリーブ相互を押さえつけて、スリーブ片側にある締結部で突き合わせたスリーブ接合面を順次締め付け取り付けて、所定のトルクで数回に分けた締結で組立てられ、ケーブルシール材や端面板の取付け姿勢を安定強固にすると共に、密封性も大幅に高められ、バルブより注入されたガスによってクロージャとして安全に用いられ、また締結具での連結を解くと上スリーブをヒンジ中心に容易に回動させスリーブを開き、内部の接続作業を簡便にできるものである。
【０００６】
【実施例】
本発明を図１乃至図１０の上スリーブ２と下スリーブ１とからなる円筒状のスリーブと、スリーブの側面嵌合部３１  に嵌装された端面板３とを備えたクロージャの例で説明すると、端面板３，３に、幹線光ケーブル１０が貫通されてケーブル把持金具４で固定され、かつ、該ケーブルのテンションメンバが、テンションメンバ把持金具５に接続連結されている。前記スリーブ１，２は、円筒状のハウジングで、軸方向に沿って両側が分離接合面で上下に分割できるようにしたもので、合成樹脂、例えばＰＰ樹脂或いはガラス繊維を充填した難燃性のＦＲＰＰ或いは熱可塑性エラストマーなどから構成され、軸方向に縦割りに二分割する突き合わせ接合面と、該スリーブ１，２の両端に、嵌装される端面板３、例えば耐候性、耐オゾン性等の諸特性に優れたＥＰＤＭなどのゴム板材とを備えてある。
【０００７】
そして、前記分割スリーブ１，２を締結するのに、一方のスリーブ１から他方のスリーブ２に着脱自在に掛止されるループ状リング６１，７１からなるヒンジ部６０と締結部７０とで連結一体化するものであって、一方のスリーブ１の一方開口端縁近傍のリング受凹部６３にループ状リング６１からなるヒンジ部材６０を間隔をあけて複数揺動自在に設けると共に、他方開口端縁近傍には締結部受凹部７３１  を間隔をあけて複数設け、また他方のスリーブ２の一方開口端縁近傍には前記ヒンジ部材６０の係止凹部６３１  を間隔をあけて複数設けると共に、他方開口端縁近傍には前記締結部材受凹部７３１  に嵌合する係止突部７４を先端に備えた操作レバー７５をループ状リング７１でリング受凹部７３に揺動自在に枢支し、さらに、スリーブ１，２の分割接合縁外側に形成された凹条部７６に嵌入されて、ガスケット外側に沿う押え部材７７、例えばリング杆を前記締結部７０のループ状リング７１に移動自在に備えてある。
【０００８】
前記ヒンジ部６０のループ状リング６１をリング挿入部６２を支点として所定回動角度で保持されるストッパ６４が、前記スリーブ１の分割接合縁外側に突設されていて複数あるループ状リング６１．．．を該ストッパ６４で回動停止させておいて上スリーブ１を下スリーブにかぶせて、ガスケットを支点としてスリーブ１を引き起してリング係止凹部６３１  のリング挿入部６２１  に引掛けて戻すことで、複数あるループ状リング６１が一括してそれぞれ同時に係合され、ワンタッチ操作でスリーブ片側をヒンジ部６０として連結されたのち、スリーブ他側を締結部７０で締付ければよいようになっている。
【０００９】
前記スリーブ１の分割接合面に形成されたガスケット嵌合凹溝６が、該凹溝６の両端部位を縮孔のガスケット挾圧部６１  とし、ガスケット７を嵌装する際に、両端を引き延ばし押し込み保持し、ガスケットの仮り止めで落下防止とガスケット７の倒れ込み防止とが確実にできるようにしてあるが、必要に応じガスケット７の両端にフランジ部（図示せず）を設け、このフランジ部を外側端に引張って圧接することでも仮止め機態をはたすことができる。
また、前記スリーブ１のガスケット嵌合凹溝６に沿って障壁６５を両スリーブ１，１の対称位置に突設して該障壁６５を接合する他方のスリーブ内壁面に当接して結合され分割上下スリーブ１，２の水平方向のずれ防止構造となっている。
【００１０】
前記ヒンジ部６０のリング挿入部６２，６２１  及び締結部７０のリング挿入部７２，７２１  とリング受凹部６３、ヒンジ部材係止凹部６３１  及びリング受凹部７３、締結部材受凹部７３１  は、ループ状リング６１，７１を共通に使用できるように同じ構成として成形金型の簡素化をはかることが考慮されている。この端面板３は、設けたケーブル挿通孔２０に孔を覆い切離しうる薄肉キャップ部２１を一体に備え、該ケーブル挿通孔２０に連通するスリット２２を端面板外側面に貫通して設けて、スリット２２で切開された端末を拡開しうるように構成してあり、この端面板３の対面する接合面を含み、前記スリーブ１，２の分割接合面に、ガスケット７を嵌合挾持しうる凹溝６を備えると共に、前記端面板３に対向する内面側に、ケーブル外周に沿う押え挾持片からなるケーブル把持金具４と、テンションメンバ把持金具５およびテンションメンバ接続具９とを設けた連結金具８を固定装備してある。
【００１１】
前記スリーブ１，２は、上下に分割可能の形態として端面板３間にシール材を介在させて、前記スリーブガスケット７と共に、クロージャ内の気密性を維持できるようにしてあり、互いに対向した接合面を固定手段で連結一体化できるようにしてある。即ち、スリーブの長手方向の片側をヒンジ部６０で連結し、他側に締め付けと、増し締めできる締結部７０とを備えてある。
そして、前記端面板３としては、小判形或いは楕円形、円形などのゴム弾性体からなり、複数のケーブル挿通孔２０にそれぞれ薄肉キャップ部２１を有し、該薄肉キャップ部２１を選択的に切除開口して貫通孔として用いるようになっていて、ケーブル１０を嵌挿しやすく水平面に対して傾斜したスリット２２を有するケーブル挿通孔とし、該スリット２２を挟んで両側に跨がって接続片２４を嵌合保持する凹面部２３に備えていて、スリット２２にシール部材２５を当てがって、接続片２４により締結される構成となっていて、ケーブル挿通孔をクロージャの内外に貫通するようにしてある。（図１１乃至図１２）
【００１２】
なお、前記ケーブル挿通孔２０、２０で形成される貫通孔またはケーブル導出孔には、ゴム製などでのスペーサ４３、或いはエアタイトテープを巻き付けてケーブルの外周面を密着できるようにすることが配慮されている。
【００１３】
このスペーサ４３は、ゴム弾性体を自然環境化で使用するので、環境温度に対応して収縮、膨張できるように、外周とスリーブ間、ケーブル挿入孔の内径とケーブル外周間に圧力変化に対応するスペーサを介在し、圧力変化を極力少なくすることで、圧縮応力の確保、低温収縮防止を図り、さらにスペーサ４３はスリット加工してケーブル挿入しやすくし、外周面または／及び内周面にはリング状の山部を複数突出設けてある。前記端面板３のケーブル挿入孔２０に於いて、外径の異なるケーブル１０が挿入される場合、同一径の挿入孔で対応可能とするために、外径は挿入孔と同一とし内径はケーブル外径に対応したケーブルスペーサ４３にてその内径、外径に山溝を設けて、ケーブルにセットすることで気密性を確保出来る構造とするのがよい。
また、前記端面板３の内面側に対向してスリーブ１に固着した連結金具８上の両端にケーブル把持金具４、４を取付ネジで、またテンションメンバを把持金具５に固定ネジで順次取付け、収納用取付金具１５、例えば収納トレイを設け、芯線を分配ガイドして接続できるように、テンションメンバ接続具９を配備しうるようにしてある。
【００１４】
また、テンションメンバ把持金具５に取付けたケーブルテンションメンバは、単穴或いは複数穴タイプを用いるが、取付板にアームを介してケーブル挿入部を１から複数まで設けたもので、スリーブ１内に固着されてケーブルを保持する。即ち、ケーブル外被を必要長さ剥ぎ取り、内部のスロットロッドを剥ぎ取り際から所定寸法で切断したのち、テンションメンバを所定寸法になるようスロットロッドをカッタ等を使用して裸にしてケーブルの接続の準備を終了させる。ケーブルの所定位置の外被を円周方向に研磨清掃し、ケーブルスペーサを嵌挿させたのち端面板のケーブル挿入孔になる薄肉キャップ部と斜スリット部を切除開口し、スリット端末を拡開してケーブルを挿入しケーブル挿入孔に貫通させ、スリット部に山溝付のシール部材を装着し、接続片を嵌装してスリットを閉塞保持させ、該端面板外周部のスリット部を覆うようにテープ状ガスケットをなじませるように接着させる。その後、ケーブル把持金具を必要なスペーサを用いてケーブル外被に装着し、締結ボルトにより所定トルクで締結してからテンションメンバをテンションメンバ把持金具にテンションメンバ把持具を用いて締結ねじにて必要トルクにて締め付ける。そして下スリーブに端面板を押しつけつつ、スリーブ１を締結してある。この場合、ガスケット７をスリーブ１，２のガスケット凹溝６に挿入して、端面板ガスケットになじませてから、上スリーブ２を下スリーブ１にかぶせ、スリーブ相互を押えつけて中央部分から外へ相互に締結部７０を順次締めつけ取り付ける。
前記スリーブ１，２或いは端面板３には、バルブのあるガス注入口部（図示せず）を設けて、該ガス注入口部から封入ガスを注入してクロージャ接続部の保護を確実にするようにしてある。
【００１５】
このような構造の接続部を組み立てる場合、各ケーブル１０にスペーサ４３を挿入し、或いはケーブルシール材を巻き付け、ケーブルの端部の外被をケーブル把持金具４により固定したのち、端面板３の接合面にシール材及びスリーブ１の接合面にガスケット７を介して分割スリーブ１，２の接合面を突き合わせて、該スリーブの外周にある締結部７０を締め付け、必要に応じバンドを巻回して締め付けて固定するもので、順次所定間隔ごとに締結部７０の締め付けを繰り返してスリーブ１，２の全長にわたって気密維持を強固にし信頼性の高い密封構造にすることができる。
なお、この組立状態において、縦割りの接合面間にはスリーブガスケット７が径方向に圧縮されていることで、比較的小さい挾持力で高い気密性を保持することができ、また端面板３とケーブルとの間にはスペーサが、ケーブル長さ方向に介在されシール材があって、スリーブ１，２の姿勢が安定すると共に、組立てを容易にするし、気密性を著しく向上できる。このスリーブガスケット７は、断面形状を長方形として角部に丸味をつけて、上下面に凹溝を形成してリップ効果を持たせるようにし、組立性・気密性の向上を図ることが考慮されている。
【００１６】
一方、前記スリーブ１，２の締結状態を解除するときには、締結部７０の操作レバー７５を外して他方のスリーブ２の掛止部より外し、締結を解除して端面板３からスリット開き、止め用の接続片２４を外し、スリーブ１，２の接合面を離間して分割すれば、ケーブルの交換も容易にすることができる。
また、端面板３の最外周面は、全周にわたって複数の山溝２６を設けてあり、スリーブ内面との圧縮力が得られて気密性を保つと共に、内部へ伝達される圧縮力によりケーブルとの気密性が得られるようにしてある。
即ち、スリーブ１，２の嵌合部３１  と端面板３との気密保持機構は、端面板３の外周に山溝２６を設け、バンドの締め付け力をスリーブ１，２が受け、山溝２６に伝わって気密を保持できるようにし、端面板ガスケットを不要として組立解体作業性を向上できるようにしてある。
【００１７】
前記スリーブ１，２の分割接合面の密接固定化には、図８の如く、スリーブの分割縁部の長手方向の片側を脱着ヒンジ６０とし、他側を回動自在の締結部７０にて締め付け可能にすることで、作業性の向上を図り、また、ヒンジ側のスリーブ凹溝６に設置したスリーブガスケット７が、ヒンジを支点として上スリーブ２を閉じる方向に回転することにより、自動的に上下スリーブ１，２の凹溝６に収まるようにすることもできる。なおヒンジ機構としては、上下スリーブ１，２に固着したり、脱着することが選べる。
【００１８】
図１１に示すような端面板３を選んでスリーブとの組立密封構造としてもよく、該端面板３には外周に全周にわたって複数山溝２６を設けて、スリーブ内面との圧縮力が得られて気密性を保つと共に、内部へ伝達される圧縮力によりケーブルとの気密性を保つようにしてある。
なお、前記端面板３に中央スペーサを必要に応じ設け、複数のケーブル挿通孔２０に形成した薄肉キャップ部２１を選択的に切除開口して貫通孔として用いるようになっていて、さらにケーブルを嵌挿しやすく水平面に対して傾斜した或いは平行なスリット２２を設け、該スリット２２を挟んで両側に跨がって接続片を嵌合保持する凹面部２３に備えていて、スリット２２にシール部材２５を当てがって、接続片により締結される構成となっていて、ケーブル挿通孔をクロージャの内外に貫通するようにしてある。（図１２）
【００１９】
図１３に示すように、前記スリーブ１から導出されるケーブルの周囲に備えられる中空円筒状のスペーサ４３は、一方に拡開できるように該スペーサ４３の片側にケーブル差込み挿入用のスリット４４を設けると共に、スペーサ４３の内周および外周にリング状に山溝４５，４６をそれぞれ備え、気密性の確保を容易にし、かつ組立、解体性の取扱作業の簡便化をはかってある。
【００２０】
この実施例では、分割スリーブの連結、締結は一側縁側のみで操作でき、他側縁側に作業空間が十分確保できない場合、例えばマンホール内のように狭い場所においても、作業者側（一側縁側）に作業空間があれば容易にクロージャの取付作業が行えるようにしたもので、２つの分割スリーブ１，２をヒンジ部６０と、締結部７０とで連結し、スリーブ１，２を開いた状態とした場合、ヒンジ部６０に設けた斜面によって、両分割スリーブの開放角度が一定角度で制限される。即ち、両分割スリーブを開く方向への回転が一定角度で止まるようにしたもので、一方の分割スリーブを接続部に係合させた場合に、他方の分割スリーブが必要以上に開き、反作業側に他方の分割スリーブが回転して、作業側から遠くに位置してしまい作業性を悪化させる不都合を防ぐことができる。
さらに、２つの分割スリーブ１，２の分割スリーブ本体を同一形状としているので、両分割スリーブ本体を連結するための締結部用連結部材とヒンジ用連結部材をそれぞれ締結部７０とヒンジ部６０に取り付ける際に、２つの分割スリーブ本体を区別することなく取付作業ができ、また、これら分割スリーブ本体を同一の金型によって製作できるようにしてある。
【００２１】
前記スリーブ１の一側縁に備えた締結部７０は、図７に示すようにリング挿入凹部７２に金属丸棒のループ状リング７１を嵌装し、回動自在の操作レバー７５と、支点突起部７４とからなり、また前記ヒンジ部６０は、図７に示すように、スリーブ１の他側縁に備えたリング挿入部６２のリング受凹部６３に、金属丸棒のループ状リング６１が回動可能に配備され、該ループ状リング６１の他端が、スリーブ１の挿入部６２に着脱自在に係止されるものからなっていて、スリーブ連結・開放が自在に行え、殊にループ状リング６１とループ状リング７１とがスリーブの一側縁及び他側縁のいずれにも使用できるように対応した同じ構成とするのがよい。
【００２２】
前記ヒンジ部６０に設けたストッパ機構としては、両側縁を合わせた場合、互いに対向する端面を利用し、外側に面を向けた傾斜面として両端面で形成される角度θは３０°〜９０°に設定されている。即ち、これら端面は、分割スリーブ１，２の回転時に端面が互いに当接し、係止されることによりストッパ機構として働き、分割スリーブ１，２の開放角度θが３０°〜９０°までに制限される構成となっていて、９０°以下に設定すれば、反作業側に分割スリーブが倒れ難くなり、作業性を損なうことがない。
また、前記上下スリーブ１，２の一側縁の端部と他側縁の端部には、長さ方向に沿って凹溝６，６が形成され、該凹溝６に棒状のスリーブーシール材のガスケット７が設けられ、該ガスケット７は、ゴム等の弾性体からなり、横断面が楕円形状をなしていて、その長径方向を両分割スリーブ１，２による挟持方向に向けた状態として前記凹溝６に配置され、その挟持力によって圧縮させられることにより両分割スリーブ１，２の間を密封している。
さらに、スリーブ内外面に山溝形状を持っていて、圧縮永久歪みに優れているスチレン系、またはオレフィン系の熱可塑性エラストマーを用いれば、安価で製造容易であり、加硫工程をも必要としないためスクラップの回収・再利用が容易である。
【００２３】
【発明の効果】
本発明は、ケーブル接続部の周囲を覆い、ケーブルを導出しうる円筒状のスリーブを軸方向に二分割する突き合わせ接合面を形成し、該分割スリーブの互いに対向した接合面を締結するのに、一方のスリーブから他方のスリーブに着脱自在に掛止されるループ状リングからなるヒンジ部と締結部とで連結一体化するものであって、一方のスリーブの一方開口端縁近傍のリング受凹部にループ状リングからなるヒンジ部材を間隔をあけて複数揺動自在に設けると共に、他方開口端縁近傍には締結部受凹部を間隔をあけて複数設け、また他方のスリーブの一方開口端縁近傍には前記ヒンジ部材の係止凹部を間隔をあけて複数設けると共に、他方開口端縁近傍には前記締結部材受凹部に嵌合する係止突部を先端に備えた操作レバーをループ状リングでリング受凹部に揺動自在に枢支し、さらに、スリーブ分割接合縁外側に形成された凹条部に嵌入されてガスケット外側に沿う押え部材を前記締結部のループ状リングに備えたことにより、スリーブの接合面を突き合わせて締結具で締め付けることが簡便にでき、ケーブル接続部のスリーブによる被覆収容作業を著しく迅速に行うことができ、しかも少ない締め付け個所でスリーブ全周にわたって均一に圧迫して信頼性の高い密封を確保できると共に、スリーブの姿勢も安定して取扱い良好で、組立作業の容易化に役立ち、接続固定も楽に安全に行え、コストの点でも優れ、ケーブル接続用クロージャの構成も簡単で安価な形態にすることができる。
【図面の簡単な説明】
【図１】本発明の実施例を示す使用状態の斜視図である。
【図２】図１のスリーブの断面図で、（ａ）は分割スリーブの閉じた状態を示し、（ｂ）は開いた状態を示す。
【図３】図２の例のヒンジ部の拡大図で、（ａ）は閉じた状態の断面図を示し、（ｂ）は開閉作動の説明図である。
【図４】図１の例の締結部の拡大図である。
【図５】図１の例の締結部材の斜視図である。
【図６】図１の例のヒンジ部材の使用状態の斜視図である。
【図７】図３のヒンジ部及び締結部の作動状態の拡大説明図である。
【図８】スリーブの一部平面図である。
【図９】図８のスリーブの一部切断側面図で、（ａ）は図８のＡ−Ａ線における拡大断面図、（ｂ）は図８のＢ−Ｂ線における拡大断面図である。
【図１０】本発明のガスケット部で、（ａ）は側面図、（ｂ）はＣ−Ｃ線における切断側面図である。
【図１１】本発明で用いられる端面板の実施例で、（ａ）は正面図、（ｂ）は一部切断平面図、（ｃ）は側面図である。
【図１２】図１１ａのＤ−Ｄ線における切断側面図である。
【図１３】スペーサの一実施例で、（ａ）は側面図、（ｂ）は正面図、（ｃ）はＥ−Ｅ線における縦断面図である。
【符号の説明】
１  スリーブ
２  スリーブ
３  端面板
４  ケーブル把持金具
５  テンションメンバ把持金具
６  凹溝
７  スリーブガスケット
８  連結金具
９  テンションメンバ接続具
１５  収納用取付金具
２０  ケーブル挿通孔
２１    薄肉キャップ部
２２  スリット
２３  凹面部
２４  接続片
２５  シール部材
２６  山溝
２９  スペーサ
６０  ヒンジ部
６１  ループ状リング
６２，７２  リング挿入部
６３，７３  リング受凹部
６４  ストッパ
６５  障壁
７０  締結部
７１  ループ状リング
７４  突起部
７５  操作レバー
【図１】
0003560295.tif 000002
【図２】
0003560295.tif 000003
【図３】
0003560295.tif 000004
【図４】
0003560295.tif 000005
【図５】
0003560295.tif 000006
【図６】
0003560295.tif 000007
【図７】
0003560295.tif 000008
【図８】
0003560295.tif 000009
【図９】
0003560295.tif 000010
【図１０】
0003560295.tif 000011
【図１１】
0003560295.tif 000012
【図１２】
0003560295.tif 000013
【図１３】
0003560295.tif 000014